(57)【要約】  ドレンパン６と、ドレンパン６に取り付けられ抗菌剤２を内部に収納する抗菌剤ケース１と、を備えた空気調和装置１００であって、抗菌剤ケース１は、ドレンパン６に設けたソケット３の内部に着脱自在に取り付けられ、抗菌剤ケース１の水平方向断面の断面積は、抗菌剤ケース１の下端部から上方に向かって漸次大きくなる拡大形状部分を少なくとも有するものである。
2016147251.tif 000002
【特許請求の範囲】
【請求項１】
ドレンパンと、前記ドレンパンに取り付けられ抗菌剤を内部に収納する抗菌剤ケースと、を備えた空気調和装置であって、
前記抗菌剤ケースは、前記ドレンパンに設けたソケットの内部に着脱自在に取り付けられ、
前記抗菌剤ケースの水平方向断面の断面積は、該抗菌剤ケースの下端部から上方に向かって漸次大きくなる拡大形状部分を少なくとも有する空気調和装置。
【請求項２】
前記抗菌剤ケースは、ゴム栓の凹部に取り付けられ、前記ゴム栓は、前記ソケットに取り付けられる請求項１に記載の空気調和装置。
【請求項３】
前記抗菌剤ケースにおいて前記ゴム栓の凹部内に取り付けられる部分には前記抗菌剤ケース内に連通する一対の空気抜き孔が形成された請求項２に記載の空気調和装置。
【請求項４】
前記抗菌剤ケースの前記拡大形状部分の断面形状は、前記抗菌剤ケースが前記ソケット内に挿入される第１方向において、水平面に対して傾斜する傾斜部を有する請求項１〜３のいずれか１項に記載の空気調和装置。
【請求項５】
前記傾斜部は、直線状のテーパー部である請求項４に記載の空気調和装置。
【請求項６】
前記傾斜部には、前記抗菌剤の外径より小さい寸法の内径を有する開口を備えたメッシュが取り付けられた請求項４または５に記載の空気調和装置。
【請求項７】
前記抗菌剤ケースは、雄部材と、前記雄部材に係合する雌部材とにより構成される請求項１〜６のいずれか１項に記載の空気調和装置。
【請求項８】
前記雄部材と前記雌部材とは、ヒンジ部で回動可能に接続した請求項７に記載の空気調和装置。
【請求項９】
前記抗菌剤ケースは円筒形状であり、前記ヒンジ部は、前記円筒形状の最大外径内に配置される請求項８に記載の空気調和装置。
【請求項１０】
前記雌部材が前記雄部材に係合する開口縁部の内面には、前記雄部材の外面に当接する水抜き突起が形成される請求項７〜９のいずれか１項に記載の空気調和装置。
【請求項１１】
前記雄部材と前記雌部材の内面下部は、前記雄部材と前記雌部材との係合部分に向けて下り勾配が形成された請求項７〜１０のいずれか１項に記載の空気調和装置。
【請求項１２】
前記傾斜部は、円弧状の円弧面部である請求項４に記載の空気調和装置。
【請求項１３】
前記円弧面部は、前記第１方向において上側に凸形状となる請求項１２に記載の空気調和装置。
【請求項１４】
前記円弧面部は、前記第１方向において下側に凸形状となる請求項１２に記載の空気調和装置。
【発明の詳細な説明】
【技術分野】
【０００１】
本発明は、ドレンパンに抗菌剤ソケットを備えた空気調和装置に関するものである。
【背景技術】
【０００２】
従来の空気調和装置においては、ドレンパンに収受された凝縮水にバクテリアやカビなどの雑菌が繁殖してスライムが発生することを抑制するための対策が施されている。このような対策が施された空気調和装置としては、例えば特許文献１〜３に記載されたものが知られている。
特許文献１には、ドレンパン上に薬剤を練り込んだ抗菌剤含有成形品を着脱自在に取り付け、ドレンパン内に菌やカビの発生を防止してドレンポンプの詰まりを抑制した空気調和装置が開示されている。
特許文献２には、ドレンパンに直接ネジなどで抗菌剤を固定することにより、バクテリアやカビなどの雑菌が活性化してスライム状になることを抑制した空気調和装置が開示されている。【０００３】
さらに、特許文献３には、ドレンパン内であってドレンポンプの吸込口近傍に、ドレン水と接触可能状態の抗菌剤を具備した抗菌剤ユニットを配置して、ドレンパン内における最低部となるドレンポンプの吸込口近傍に配置された抗菌剤ユニットが、ドレンポンプの作動時においても非作動時においても確実にドレン水に浸漬されるようした空気調和装置が開示されている。
【先行技術文献】
【特許文献】
【０００４】
【特許文献１】特開２０１０−１４２９４号公報
【特許文献２】特開２０００−７４４０９号公報
【特許文献３】特開２００６−１９４４９１号公報
【発明の概要】
【発明が解決しようとする課題】
【０００５】
ところで、特許文献１〜３に記載の空気調和装置はドレンパンやドレンポンプに直に抗菌剤を取り付けた構造を採用しているので、経時使用により抗菌剤の効力が消失したときは、抗菌剤の交換のために装置ケーシングの底パネルを取り外し、更にドレンパンを取り外す作業が必要となる。そのために、作業負荷が大きくなるという問題点があった。
また、既設の装置に対して新規に抗菌剤を取り付ける場合も、同様に装置ケーシングの底パネルを取り外し、更にドレンパンを取り外す作業が必要となり、作業負荷が大きくなっていた。
さらに、ドレン水が少ない時にも抗菌剤全体が常にドレンパンのドレン水に浸かっているため、抗菌剤の消耗が早くなる問題があった。【０００６】
本発明は、このような課題を解決するためになされたもので、作業の手間を少なくドレンパンに対して抗菌剤の取り付け及び取り替えをすることができ、また、抗菌剤の無駄な消耗を抑制した空気調和装置を得ることを目的とする。
【課題を解決するための手段】
【０００７】
本発明に係る空気調和装置は、ドレンパンと、ドレンパンに取り付けられ抗菌剤を内部に収納する抗菌剤ケースと、を備えた空気調和装置であって、抗菌剤ケースは、ドレンパンに設けたソケットの内部に着脱自在に取り付けられ、抗菌剤ケースの水平方向断面の断面積は、抗菌剤ケースの下端部から上方に向かって漸次大きくなる拡大形状部分を少なくとも有するものである。
【発明の効果】
【０００８】
本発明に係る空気調和装置によれば、上記構成を備えているので、作業の手間を少なくドレンパンに抗菌剤の取り付け及び取り替えをすることができ、また、抗菌剤の無駄な消耗を抑制することができる。
【図面の簡単な説明】
【０００９】
【図１】実施の形態１に係る空気調和装置の断面図である。
【図２】実施の形態１に係る空気調和装置の図１におけるＩＩ−ＩＩ線矢視断面構成図である。
【図３】実施の形態１に係るドレンパンの自然排水時における部分断面図である。
【図４】実施の形態１に係るドレンパンのドレンポンプ使用時における部分断面図である。
【図５】実施の形態１に係るドレンパンのドレンポンプ使用時における減水時の部分断面図である。
【図６】実施の形態１に係る抗菌剤ケースの斜視図である。
【図７】実施の形態１に係る抗菌剤ケースを開いた際の側面図である。
【図８】実施の形態１に係る抗菌剤ケースを閉じた際の側面図である。
【図９】実施の形態１に係る抗菌剤ケースの背面視図である。
【図１０】実施の形態１に係る抗菌剤ケースの水抜き突起を説明する断面図である。
【図１１】実施の形態１に係る抗菌剤ケースの水抜き勾配を説明する断面図である。
【図１２】実施の形態１に係る抗菌剤ケースの接続部分の拡大断面図である。
【図１３】実施の形態１に係る抗菌剤ケースをドレンパンに取り付ける手順を説明する図である。
【図１４】実施の形態１に係る抗菌剤ケースの背面視図である。
【図１５】実施の形態２に係る抗菌剤ケースの断面図である。
【図１６】実施の形態３に係る抗菌剤ケースの断面図である。
【発明を実施するための形態】
【００１０】
以下、発明の実態に係る空気調和装置１００について、図面などを参照しながら説明する。ここで、以下の図面において、同一の符号を付したものは、同一、またはこれに相当するものであり、以下に記載する実施の形態において共通である。
【００１１】
実施の形態１．
図１は、実施の形態１に係る空気調和装置の断面図である。
図２は、実施の形態１に係る空気調和装置の図１におけるＩＩ−ＩＩ線矢視断面構成図である。
各図において、この実施に形態１の空気調和装置１００は、被空調空間に設置される例えば室内ユニットであり、一端に空気吸込口７が形成され他端に空気吹出口８が形成されたユニットケーシングを備えている。このユニットケーシング内に送風機９が設置され、送風機９の通風方向下流側に、空気と冷媒とを熱交換させる熱交換器１０が設置されている。
【００１２】
熱交換器１０は、冷媒回路（図示省略）の構成の一部であり、冷媒管内を流通する冷媒と室内空気との熱交換を行なうようになっている。熱交換器１０は、暖房運転時に凝縮器として機能し、冷房運転時に蒸発器として機能する。
空気調和装置１００内において熱交換器１０の下方位置には、熱交換器１０が蒸発器として機能した際に結露した凝縮水１３を収受するドレンパン６が設置されている。ドレンパン６の最深部１１の上方位置には、ドレンパン６内の凝縮水１３を汲み出すドレンポンプ５が配備されている。ドレンパン６の側壁には、凝縮水１３をドレンパン６外に排出するソケット３が横向きに突出して設けられている。ソケット３は、ドレンパン６内の最深部１１と空気調和装置１００の外部とを連通し、水平向きに開口した円筒形状（例えば内径２８ｍｍ、長さ６０ｍｍ程度）を有している。なお、この空気調和装置１００は、ケーシング両側部の吊金具によって室内の天井などに取り付けられる。
【００１３】
［ドレンポンプ５を使用しない自然排水時］
このような空気調和装置１００を天井に据付けた際に、ソケット３と天井内に配管されるドレン排水管との高低差が取れる設置条件の場合には、ドレンポンプ５を使用することなくソケット３から排水が可能である。
図３は、実施の形態１に係るドレンパンの自然排水時における部分断面図である。
図３は、自然排水時において図２の破線部分を拡大した断面図であり、ソケット３の先端の開口端部３ａには排水ホース１２が連結される。
【００１４】
このとき、ソケット３には、排水ホース１２が接続され、ドレンパン６内の凝縮水１３は、排水ホース１２から直接、空気調和装置１００の外部に排水される。よって、ドレンパン６内に凝縮水１３が滞留することはない。
【００１５】
［ドレンポンプ５を使用する機械排水時］
ソケット３と天井内に配管されるドレン排水管との高低差が取れない設置条件の場合、凝縮水１３を空気調和装置１００の外部へ排出するためにドレンポンプ５を使用する。
図４は、実施の形態１に係るドレンパンのドレンポンプ使用時における部分断面図である。
図５は、実施の形態１に係るドレンパンのドレンポンプ使用時における減水時の部分断面図である。
図４、５は、機械排水時において図２の破線部分を拡大した断面図である。図４および図５に示すように、ドレンポンプ５の使用時には、ソケット３にゴム栓４が装着されるため、ドレンパン６の最深部１１には凝縮水１３が貯留されやすくなる（なお、ソケット３に装着される抗菌剤ケース１の構成については後述する）。
この最深部１１にドレンポンプ５の吸込口が配置されるが、図４に示すように、通常時でドレンポンプ５の吸込口と、ドレンパン６の最深部１１との間の高さ寸法Ｘは、例えば１０ｍｍである。
【００１６】
ドレンポンプ５を使用する場合、空気調和装置１００の運転中の凝縮水１３の水位はドレンパン６の最深部１１の底面から約１０〜２３ｍｍの水深を推移する。また、空気調和装置１００を停止させた時は、ドレンポンプ５により汲み上げ途中の凝縮水１３がドレンパン６に戻ってくるため、空気調和装置１００の運転時よりもおよそ５ｍｍ水位がさらに上昇する。
よって、ドレンポンプ５を使用する空気調和装置１００の設置条件の時には、ドレンポンプ５を使用しない設置条件の場合より、ドレンパン６の内部に凝縮水１３が滞留する傾向にある。
また、ドレンパン６の最深部１１上に滞留する凝縮水１３は、蒸発等によって減水することがあり、このときの水位は図５に示す水深Ｚのように図４に示す寸法Ｘに比べて小さくなる場合がある。
【００１７】
このようにドレンポンプ５使用時の空気調和装置１００の凝縮水１３は、ドレンパン６内に滞留する傾向があるため、抗菌対策を施していない場合、その滞留した凝縮水１３によりドレンパン６内にバクテリアやカビが繁殖する。すると、バクテリアやカビなどが活性化することにより、ドレンパン６内部の凝縮水１３は、スライム状になり、ドレンポンプ５を詰まらせる原因となる。ドレンポンプ５が詰まることにより、凝縮水１３が空気調和装置１００の外部へ排出されないため、ドレンパン６の水位が上昇しオーバーフローして空気調和装置１００の外部へ水漏れが発生する。
【００１８】
［抗菌剤２］
実施の形態１における空気調和装置１００においては、ドレンパン６のソケット３に抗菌剤ケース１を挿入して着脱自在に取り付け、抗菌剤ケース１の中に格納している抗菌剤２の作用を利用して、ドレンパン６の内部を殺菌する構成となっている。
【００１９】
本実施の形態１で用いられる抗菌剤２は、粉末形状を有している。抗菌剤２としては、無機系抗菌剤である銀が多用されている。この銀を均一に配合した固形材料や粉末材料が抗菌剤材料として一般的に使用される。そのうち、粉末材料は、ＰＳ，ＡＳ，ＰＰ，ＡＢＳ等の合成樹脂材料に添加して使用することも可能である。抗菌剤２の寿命としては製品の水量や使用環境により差はあるが、一般的に使用されている抗菌剤は約３〜４年の使用が可能とされている。使用する抗菌剤２の質量としては、例えば１４ｇ程度である。抗菌剤２は、水に触れる際や、溶解する際に、抗菌剤２の材料内部に取込まれた銀が、銀イオンとして放出される。放出された銀イオンは、バクテリアやカビなどの細菌を不活性化させる。
【００２０】
［抗菌剤ケース１］
次に、実施の形態１に係る抗菌剤ケースの構造を説明する。
図６は、実施の形態１に係る抗菌剤ケースの斜視図である。
図７は、実施の形態１に係る抗菌剤ケースを開いた際の側面図である。
図８は、実施の形態１に係る抗菌剤ケースを閉じた際の側面図である。
抗菌剤ケース１は、図６、７に示すように、略円筒形状の雄部材２０と雌部材２１とで構成されており、例えば樹脂製の容器である。
【００２１】
雄部材２０は、円筒形状の本体部２０ａと抗菌剤ケース１の先端側となるテーパー部２０ｂ（本発明の傾斜部に相当する）とにより構成されている。本体部２０ａはその円筒形状の一端側が開口縁部２０ｃとして開口しており、他端側にはテーパー部２０ｂが形成されている。テーパー部２０ｂは、抗菌剤ケース１の先端側に行く程先細る複数のテーパー面部２０ｄを有しており、テーパー面部２０ｄ同士の間は、抗菌剤ケース１の内部と連通する開口部２０ｅとなっている。また、テーパー部２０ｂの先端には、円形の先端面部２０ｆが形成されている。
さらに、本体部２０ａとテーパー部２０ｂとの接続部分にはテーパー部２０ｂ側の直径が小さく形成された段差部２０ｇが形成されている。また、雄部材２０の開口縁部２０ｃには半円弧形状の切り欠き部２０ｉが複数形成されている。
【００２２】
雌部材２１は、円筒形状の本体部２１ａと、本体部２１ａの内径より大きな内径を有する開口縁部２１ｂとにより形成されている。
雄部材２０の開口縁部２０ｃと雌部材２１の開口縁部２１ｂとはヒンジ部２２により回動自在に接続されている。
また、ヒンジ部２２に対向する雄部材２０の開口縁部２０ｃの外周面には爪部２２ａが形成されている。そして、雌部材２１の開口縁部２１ｂの外周面には爪部２２ａが嵌り込んで係合する嵌合部２２ｂが形成されている。
【００２３】
このような抗菌剤ケース１は、図７に示すような雄部材２０と雌部材２１とを開いた状態で抗菌剤ケース１の内部に粉末形状の抗菌剤２を充填する。雄部材２０と雌部材２１とをヒンジ部２２を回動させて直線形状にすると、図８に示すように雄部材２０の開口縁部２０ｃが雌部材２１の開口縁部２１ｂ内に挿入され、雄部材２０の爪部２２ａが雌部材２１の嵌合部２２ｂに係合されて抗菌剤２が抗菌剤ケース内に収納される。
【００２４】
（メッシュ２０ｈ）
抗菌剤ケース１のテーパー部２０ｂの開口部２０ｅには、図８に示すようにメッシュ２０ｈを配置する。メッシュ２０ｈは、抗菌剤ケース１と一体成型されており、メッシュ２０ｈの開口は、抗菌剤２の外径より小さな寸法となっている。よって、抗菌剤ケース１内の抗菌剤２が外部に流出することがない。
【００２５】
（空気抜き孔２１ｄ）
図９は、実施の形態１に係る抗菌剤ケースの背面視図である。
抗菌剤ケース１の背面側、すなわち、雌部材２１の底面部２１ｃには、図９に示すように一対の空気抜き孔２１ｄが形成されている。この空気抜き孔２１ｄは、後述するようにゴム栓４に抗菌剤ケース１の雌部材２１を嵌め込む際にゴム栓４と雌部材２１の底面部２１ｃとの間の空気を抗菌剤ケース１内に抜き、挿入をスムーズに行うための開口である。
【００２６】
また、メンテナンス時にゴム栓４をソケット３から引き抜いた際に、抗菌剤ケース１が抜けてしまい、ソケット３内に抗菌剤ケース１が残ってしまった場合、一対の空気抜き孔２１ｄをラジオペンチ等で摘まんで引き取り出せるよう構成されている（例えば空気抜き孔２１ｄの直径は５ｍｍ程度とする）。
【００２７】
（水抜き突起２１ｅ）
図１０は、実施の形態１に係る抗菌剤ケースの水抜き突起を説明する断面図である。
水抜き突起２１ｅは、図１０に示すように雌部材２１の開口縁部２１ｂの内面に複数箇所形成（例えば対向する位置に４箇所）されている。
この構成により抗菌剤ケース１の雄部材２０の開口縁部２０ｃの外面と、雌部材２１の開口縁部２１ｂの内面との間に強制的に隙間が形成される。
【００２８】
（水抜き勾配）
図１１は、実施の形態１に係る抗菌剤ケースの水抜き勾配を説明する断面図である。
図１２は、実施の形態１に係る抗菌剤ケースの接続部分の拡大断面図である。
雄部材２０の円筒形状の本体部２０ａと、雌部材２１の円筒形状の本体部２１ａには、各部材を成形用の金型から抜く際の抜き勾配が設けられている。この抜き勾配は、図１１に示すように抗菌剤ケース１内に流入した凝縮水１３が、点線矢印のように雄部材２０の開口縁部２０ｃ側と、雌部材２１の開口縁部２１ｂ側とに流下するよう形成される。
【００２９】
そして、開口縁部２０ｃ、２１ｂ近傍に集まった凝縮水１３は、図１２に示す点線矢印に示すように前述の水抜き突起２１ｅによる雄部材２０の開口縁部２０ｃの外面と、雌部材２１の開口縁部２１ｂの内面との間の隙間を通って抗菌剤ケース１の外部に排出される。また、雄部材２０の開口縁部２０ｃに切り欠き部２０ｉを設けたことで切り欠き部２０ｉを凝縮水１３が通過することができる。
【００３０】
［抗菌剤ケース１の取り付け］
実施の形態１に係る抗菌剤ケース１をドレンパン６に取り付ける手順を説明する。
図１３は、実施の形態１に係る抗菌剤ケース１をドレンパン６に取り付ける手順を説明する図である。
はじめに、Ｓｔｅｐ１として、抗菌剤ケース１の雌部材２１をゴム栓４の第１凹部４ａに挿入する。ゴム栓４は、略円柱形状のゴム製で、中心軸Ｊから同心円上に第１凹部４ａと第２凹部４ｂとが形成されている。第１凹部４ａは円柱形状の凹部であり、第２凹部４ｂは第１凹部４ａの外径側に形成されたリング形状の溝である。
【００３１】
第１凹部４ａは、雌部材２１の本体部２１ａの最大外径αより若干小さい寸法の最大内径βとなっている。よって、Ｓｔｅｐ２に示すように、雌部材２１の本体部２１ａがゴム栓４の第１凹部４ａの内壁に締め付けられた状態で保持される。
そして、Ｓｔｅｐ３にて、ドレンパン６のソケット３に水平方向から抗菌剤ケース１をその軸方向に挿入する。すると、ゴム栓４の第２凹部４ｂがソケット３に嵌合し、抗菌剤ケース１はドレンパン６に装着される。
また、抗菌剤ケース１をドレンパン６から脱着させる際は、ゴム栓４をソケット３から引き抜いてソケット３からゴム栓４の第２凹部４ｂを離脱させる。
【００３２】
図１４は、実施の形態１に係るソケット３内に抗菌剤ケース１の背面視図である。
抗菌剤ケース１のヒンジ部２２は、図１４に示すように、雌部材２１の開口縁部２１ｂのフラット部２１ｆ上に形成されており、開口縁部２１ｂの最大外径Ａの仮想円Ｓ内に収まるように形成されている。
よって、ソケット３内に抗菌剤ケース１が収納されたときに、ヒンジ部２２がソケット３の内壁に接触することがなく、ヒンジ部２２が損傷することがない。また、ソケット３内で抗菌剤ケース１を軸周りに回転させることができるため、取り付け角度に制約がなくソケット３への着脱が容易になる。
【００３３】
よって、実施の形態１による空気調和装置１００の抗菌剤ケース１によれば、ドレンパン６のソケット３に対して簡単な構成で抗菌剤ケース１を着脱自在に取り付けられるため、作業の手間が少なく抗菌剤２の取り付け及び取り替えができ、凝縮水１３を殺菌してスライム化を抑制し、ドレンポンプ５の詰まりを防止することができる。
【００３４】
［抗菌剤ケース１内の抗菌剤の溶解について］
図４、図５に示すように、ドレンパン６内の凝縮水１３は、ドレンポンプ５の作動や停止、空気調和装置１００の停止期間による凝縮水１３の蒸発などにより、その水位が変化する。
図４の状態は、ドレンポンプ５の排水作動が終了した時点の水位が示されており、ドレンポンプ５が作動する前には、この水位より高い位置まで凝縮水１３が貯留されている。  また、図５に示すように空気調和装置１００の停止期間が長い場合には凝縮水１３が蒸発し、ドレンポンプ５の吸込口よりも低い水位となることがある。
【００３５】
ここで、凝縮水１３の水位が変化しても抗菌剤ケース１が常に水没していると、抗菌剤２が常に一定量、凝縮水１３内に溶出する。例えば、図５のように凝縮水１３の水位が低い時にも一定量の抗菌剤２が溶解すると、水量に対して過大な量の抗菌剤２が使用され、抗菌効果に対して無駄に抗菌剤２が消費されてしまうこととなる。
【００３６】
実施の形態１に係る抗菌剤ケース１は、上記のように、抗菌剤ケース１の下端側にソケット３への挿入方向（水平方向）に対して傾斜するテーパー部２０ｂや段差部２０ｇを有している。
テーパー部２０ｂや、段差部２０ｇをソケット３への抗菌剤ケース１の挿入方向（図４、５に示す抗菌剤ケース１の側面視）において設けたため、抗菌剤ケース１の水平方向断面の断面積において、抗菌剤ケース１の下端部１ａから上方に向かって漸次大きくなる拡大形状部分を少なくとも有する形状となっている。
【００３７】
図４に示すように例えばドレンポンプ５の停止時のような通常水位のときには、テーパー部２０ｂに設けた開口部２０ｅを通って凝縮水１３が抗菌剤ケース１内に一定量流入し、雄部材２０と雌部材２１との開口縁部２０ｃ、２１ｂの隙間を通って凝縮水１３に溶け込んだ抗菌剤２が抗菌剤ケース１の外部に溶出する。
ここで上記のように抗菌剤ケース１の下端側は、下端部１ａから抗菌剤ケース１の中心軸Ｊまでは水平方向断面の断面積が漸次大きくなる拡大形状部分となっている。
すると、凝縮水１３の水位が上昇する程、抗菌剤ケース１内の抗菌剤２が凝縮水１３に接触する水平方向の断面積が増加するため、抗菌剤２の溶出量を徐々に増大させることができる。
【００３８】
また、例えば図５のように凝縮水１３がテーパー部２０ｂの下端位置以下の低水位となるときには、抗菌剤ケース１にテーパー部２０ｂや、段差部２０ｇを設けることで、抗菌剤ケース１内に凝縮水１３が流入することがなく、抗菌剤２が凝縮水１３に浸かることがないため、抗菌剤２は抗菌剤ケース１外に溶出しない。
よって、凝縮水１３の水位によって抗菌剤ケース１内の抗菌剤２の溶出量を調整することができ、抗菌剤２無駄な消耗を抑制することが可能となる。
【００３９】
実施の形態２．
実施の形態２に係る空気調和装置１００は、基本的に実施の形態１に係る空気調和装置１００と同様の構成であり、ドレンパン６のソケット３に設けた抗菌剤ケース１の形状においてのみ相違する。よって、抗菌剤ケース１の構成を説明する。
図１５は、実施の形態２に係る抗菌剤ケースの断面図である。
実施の形態２に係る抗菌剤ケース１は、図１５に示すように略円柱形状であり、その側面部１ｂは、中央部分の口径が両端部に設けた円形の円板部１ｃの口径より小さくなったくびれ形状（本発明の円弧面部に相当する）を有している。よって、この側面部１ｂの下端側は、ソケット３への挿入方向（水平方向）において上側に凸形の形状となっている。
なお、この円板部１ｃの下端が抗菌剤ケース１の下端部１ａとなる。
【００４０】
この側面部１ｂには、例えば実施の形態１に示した開口を有するメッシュ２０ｈを採用し、抗菌剤ケース１の内部に収納された抗菌剤２と外部とが連通する構成とすることができる。
また、抗菌剤ケース１の背面側の円板部１ｃには、実施の形態１と同様のゴム栓４が取り付けられており、このゴム栓４の第２凹部４ｂがドレンパン６のソケット３に取り付けられる。
【００４１】
このような実施の形態２に係る抗菌剤ケース１を使用しても、実施の形態１と同様に抗菌剤ケース１の水平方向断面の断面積において、抗菌剤ケース１の下端部１ａから上方に向かって漸次大きくなる拡大形状部分を少なくとも有する形状とすることができる。
【００４２】
すなわち、図４に示すように例えばドレンポンプ５の停止時のような通常水位のときには、抗菌剤ケース１の側面部１ｂを通って凝縮水１３が抗菌剤ケース１内に一定量流入し、抗菌剤２が抗菌剤ケース１の外部に溶出する。
抗菌剤ケース１の下端部１ａから抗菌剤ケース１の中心軸Ｊまでは水平方向断面の断面積が漸次大きくなる拡大形状部分となっている。すると、凝縮水１３の水位が上昇する程、抗菌剤ケース１内の抗菌剤２が凝縮水１３に接触する水平方向の断面積が増加するため、抗菌剤２の溶出量を徐々に増大させることができる。
よって、凝縮水１３の水位によって抗菌剤ケース１内の抗菌剤２の溶出量を調整することができ、抗菌剤２無駄な消耗を抑制することが可能となる。
【００４３】
実施の形態３．
実施の形態３に係る空気調和装置１００は、基本的に実施の形態１に係る空気調和装置１００と同様の構成であり、ドレンパン６のソケット３に設けた抗菌剤ケース１の形状においてのみ相違する。よって、抗菌剤ケース１の構成を説明する。
図１６は、実施の形態３に係る抗菌剤ケースの断面図である。
実施の形態３に係る抗菌剤ケース１は、図１６に示すように略楕円球形状であり、その中心軸Ｊ方向の中央部分の口径が両端部１ｄの口径より大きくなった形状（本発明の円弧面部に相当する）を有している。よって、この抗菌剤ケース１の下端側は、ソケット３への挿入方向（水平方向）において下側に凸形の形状となっている。この抗菌剤ケース１の中心軸Ｊ方向における中央部分の下端が抗菌剤ケース１の下端部１ａとなる。
【００４４】
抗菌剤ケース１には、例えば実施の形態１に示した開口を有するメッシュ２０ｈを採用し、抗菌剤ケース１の内部に収納された抗菌剤２と外部とが連通する構成とすることができる。
また、抗菌剤ケース１の両端部１ｄの背面側には、実施の形態１と同様のゴム栓４が取り付けられており、このゴム栓４がドレンパン６のソケット３に取り付けられる。
【００４５】
このような実施の形態３に係る抗菌剤ケース１を使用しても、実施の形態１と同様に抗菌剤ケース１の水平方向断面の断面積において、抗菌剤ケース１の下端部１ａから上方に向かって漸次大きくなる拡大形状部分を少なくとも有する形状とすることができる。
【００４６】
すなわち、図４に示すように例えばドレンポンプ５の停止時のような通常水位のときには、抗菌剤ケース１の開口を通って凝縮水１３が抗菌剤ケース１内に一定量流入し、抗菌剤２が抗菌剤ケース１の外部に溶出する。
抗菌剤ケース１の下端部１ａから抗菌剤ケース１の中心軸Ｊまでは水平方向断面の断面積が漸次大きくなる拡大形状部分となっている。すると、凝縮水１３の水位が上昇する程、抗菌剤ケース１内の抗菌剤２が凝縮水１３に接触する水平方向の断面積が増加するため、抗菌剤２の溶出量を徐々に増大させることができる。
よって、凝縮水１３の水位によって抗菌剤ケース１内の抗菌剤２の溶出量を調整することができ、抗菌剤２無駄な消耗を抑制することが可能となる。
【符号の説明】
【００４７】
１  抗菌剤ケース、１ａ  下端部、１ｂ  側面部、１ｃ  円板部、１ｄ  両端部、２  抗菌剤、３  ソケット、３ａ  開口端部、４  ゴム栓、４ａ  第１凹部、４ｂ  第２凹部、５  ドレンポンプ、６  ドレンパン、７  空気吸込口、８  空気吹出口、９  送風機、１０  熱交換器、１１  最深部、１２  排水ホース、１３  凝縮水、２０  雄部材、２０ａ  本体部、２０ｂ  テーパー部、２０ｃ  開口縁部、２０ｄ  テーパー面部、２０ｅ  開口部、２０ｆ  先端面部、２０ｇ  段差部、２０ｈ  メッシュ、２０ｉ  切り欠き部、２１  雌部材、２１ａ  本体部、２１ｂ  開口縁部、２１ｃ  底面部、２１ｄ  空気抜き孔、２１ｅ  水抜き突起、２１ｆ  フラット部、２２  ヒンジ部、２２ａ  爪部、２２ｂ  嵌合部、１００  空気調和装置。
【図１】
2016147251.tif 000003
【図２】
2016147251.tif 000004
【図３】
2016147251.tif 000005
【図４】
2016147251.tif 000006
【図５】
2016147251.tif 000007
【図６】
2016147251.tif 000008
【図７】
2016147251.tif 000009
【図８】
2016147251.tif 000010
【図９】
2016147251.tif 000011
【図１０】
2016147251.tif 000012
【図１１】
2016147251.tif 000013
【図１２】
2016147251.tif 000014
【図１３】
2016147251.tif 000015
【図１４】
2016147251.tif 000016
【図１５】
2016147251.tif 000017
【図１６】
2016147251.tif 000018
【手続補正書】
【提出日】平成29年6月20日(2017.6.20)
【手続補正１】
【補正対象書類名】明細書
【補正対象項目名】０００７
【補正方法】変更
【補正の内容】
【０００７】
本発明に係る空気調和装置は、ドレンパンと、ドレンパンに取り付けられ抗菌剤を内部に収納する抗菌剤ケースと、を備えた空気調和装置であって、抗菌剤ケースは、ドレンパンに設けたソケットに取り付けられたゴム栓の凹部に取り付けられて、ソケットの内部に着脱自在に取り付けられ、抗菌剤ケースの水平方向断面の断面積は、抗菌剤ケースの下端部から上方に向かって漸次大きくなる拡大形状部分を少なくとも有し、抗菌剤ケースにおいてゴム栓の凹部内に取り付けられる部分には抗菌剤ケース内に連通する一対の空気抜き孔が形成されているものである。
【手続補正２】
【補正対象書類名】特許請求の範囲
【補正対象項目名】全文
【補正方法】変更
【補正の内容】
【特許請求の範囲】
【請求項１】
ドレンパンと、前記ドレンパンに取り付けられ抗菌剤を内部に収納する抗菌剤ケースと、を備えた空気調和装置であって、
前記抗菌剤ケースは、前記ドレンパンに設けたソケットに取り付けられたゴム栓の凹部に取り付けられて、前記ソケットの内部に着脱自在に取り付けられ、
前記抗菌剤ケースの水平方向断面の断面積は、該抗菌剤ケースの下端部から上方に向かって漸次大きくなる拡大形状部分を少なくとも有し、
前記抗菌剤ケースにおいて前記ゴム栓の凹部内に取り付けられる部分には前記抗菌剤ケース内に連通する一対の空気抜き孔が形成されている空気調和装置。
【請求項２】
ドレンパンと、前記ドレンパンに取り付けられ抗菌剤を内部に収納する抗菌剤ケースと、を備えた空気調和装置であって、
前記抗菌剤ケースは、雄部材と、前記雄部材に係合する雌部材とにより構成され、前記ドレンパンに設けたソケットの内部に着脱自在に取り付けられており、
前記雌部材が前記雄部材に係合する開口縁部の内面には、前記雄部材の外面に当接する水抜き突起が形成され、
前記抗菌剤ケースの水平方向断面の断面積は、該抗菌剤ケースの下端部から上方に向かって漸次大きくなる拡大形状部分を少なくとも有する空気調和装置。
【請求項３】
ドレンパンと、前記ドレンパンに取り付けられ抗菌剤を内部に収納する抗菌剤ケースと、を備えた空気調和装置であって、
前記抗菌剤ケースは、雄部材と、前記雄部材に係合する雌部材とにより構成され、前記ドレンパンに設けたソケットの内部に着脱自在に取り付けられており、
前記雄部材と前記雌部材の内面下部は、前記雄部材と前記雌部材との係合部分に向けて下り勾配が形成されており、
前記抗菌剤ケースの水平方向断面の断面積は、該抗菌剤ケースの下端部から上方に向かって漸次大きくなる拡大形状部分を少なくとも有する空気調和装置。
【請求項４】
前記抗菌剤ケースは、ゴム栓の凹部に取り付けられ、前記ゴム栓は、前記ソケットに取り付けられる請求項２又は３に記載の空気調和装置。
【請求項５】
前記抗菌剤ケースにおいて前記ゴム栓の凹部内に取り付けられる部分には前記抗菌剤ケース内に連通する一対の空気抜き孔が形成された請求項４に記載の空気調和装置。
【請求項６】
前記抗菌剤ケースの前記拡大形状部分の断面形状は、前記抗菌剤ケースが前記ソケット内に挿入される第１方向において、水平面に対して傾斜する傾斜部を有する請求項１〜５のいずれか１項に記載の空気調和装置。
【請求項７】
前記傾斜部は、直線状のテーパー部である請求項６に記載の空気調和装置。
【請求項８】
前記傾斜部には、前記抗菌剤の外径より小さい寸法の内径を有する開口を備えたメッシュが取り付けられた請求項６または７に記載の空気調和装置。
【請求項９】
前記抗菌剤ケースは、雄部材と、前記雄部材に係合する雌部材とにより構成される請求項１〜８のいずれか１項に記載の空気調和装置。
【請求項１０】
前記雄部材と前記雌部材とは、ヒンジ部で回動可能に接続した請求項９に記載の空気調和装置。
【請求項１１】
前記抗菌剤ケースは円筒形状であり、前記ヒンジ部は、前記円筒形状の最大外径内に配置される請求項１０に記載の空気調和装置。
【請求項１２】
前記雌部材が前記雄部材に係合する開口縁部の内面には、前記雄部材の外面に当接する水抜き突起が形成される請求項９〜１１のいずれか１項に記載の空気調和装置。
【請求項１３】
前記雄部材と前記雌部材の内面下部は、前記雄部材と前記雌部材との係合部分に向けて下り勾配が形成された請求項９〜１２のいずれか１項に記載の空気調和装置。
【請求項１４】
前記傾斜部は、円弧状の円弧面部である請求項６に記載の空気調和装置。
【請求項１５】
前記円弧面部は、前記第１方向において上側に凸形状となる請求項１４に記載の空気調和装置。
【請求項１６】
前記円弧面部は、前記第１方向において下側に凸形状となる請求項１４に記載の空気調和装置。
【国際調査報告】
2016147251.tif 000019
2016147251.tif 000020
2016147251.tif 000021
2016147251.tif 000022